(57)【要約】【課題】ビデオカメラが振動する状態で使用されても急激な音質劣化を引き起こす恐れがなく、そのため小型化することができるマイクロフォン装置を提供する。【解決手段】マイクロフォン装置は、受音部５ａを有するマイクロフォン５と、開口部を有し、マイクロフォン５を収納する収納部材７と、開口部を覆う被覆部材２と、マイクロフォン５と略同一形状の孔を有し、孔に挿入されたマイクロフォン５を保持するとともに、マイクロフォン５の高さと略同一の厚みを有する第１の緩衝材４と、収納部７の底面と第１の緩衝材４との間に配置される第３の緩衝材８と、一方の面がマイクロフォン５の受音部５ａに当接し、他方の面が被覆部材２と当接する第２の緩衝材３と、を備える。【選択図】図３
2010178250.tif 000002
【特許請求の範囲】
【請求項１】
受音部を有するマイクロフォンと、
開口部を有し、前記マイクロフォンを収納する収納部材と、
前記開口部を覆う被覆部材と、
前記マイクロフォンと略同一形状の孔を有し、前記孔に挿入された前記マイクロフォンを保持するとともに、前記マイクロフォンの高さと略同一の厚みを有する第１の緩衝材と、
前記収納部材の底面と前記第１の緩衝材との間に配置される第３の緩衝材と、
一方の面が前記マイクロフォンの受音部に当接し、他方の面が前記被覆部材と当接する第２の緩衝材と、
を備えるマイクロフォン装置。
【請求項２】
前記第２の緩衝材は、
一方の面から他方の面まで貫通した微小孔を多数有する通気性を有する板状の材料である
請求項１に記載のマイクロフォン装置。
【請求項３】
前記第３の緩衝材は、
材料内部での気密性を有する材料で形成する
請求項１又は２に記載のマイクロフォン装置。
【発明の詳細な説明】
【技術分野】
【０００１】
本発明は、ビデオカメラやデジタルスチルカメラなどの撮像装置をはじめとする電子機器に搭載する、マイクロフォン装置に関する。
【背景技術】
【０００２】
従来より、ビデオカメラに搭載されたマイクロフォン装置としては、例えば図４〜図６に示すような、本体に埋設したマイクロフォン装置がある。図４は従来のマイクロフォン装置を収めたビデオカメラの全体斜視図、図５は従来のマイクロフォン装置の分解斜視図、図６はその断面図を、それぞれ示したものである。
【０００３】
図４から図６に示すように、ビデオカメラ１０１の外観面に複数の貫通孔１０２ｂを形成した板状のマイクネット１０２が配置され、この貫通孔１０２ｂを通して進入した音声が、内部に配置されたマイクロフォン１０５で受音され、電気信号に変換されて音声データとして記録される。
【０００４】
図５に示すように、マイクネット１０２の内面には、複数の貫通孔１０２ｂから内部が見えることを緩和するため、網状のシートであるアドネット１０３が貼りつけられている。
【０００５】
円筒形のマイクロフォン１０５は、緩衝材であるシリコンゴムで形成されたマイクダンパーゴム１０４に挿入されて保持される。マイクロフォン１０５の一方の平面には受音部１０５ａが設けられている。マイクネット１０２より外部の音声がさえぎられることなく受音部１０５ａに伝わるように、マイクダンパーゴム１０４には開口部１０４ｂが設けられている。複数のマイクロフォン１０５は、電気信号を電子回路（図示せず）に導くマイクフレキ１０６に半田付けにて接続されている。
【０００６】
マイクダンパーゴム１０４の、マイクロフォン１０５から所定の距離離れた位置には、複数のダンパー支持面１０４ａとダンパー支持突起１０４ｃが一体的に形成されている。
【０００７】
一方が開放した箱状の収納部材であるフロントケース１０７には、収納部１０７ｃが形成されている。収納部１０７ｃには複数の支持リブ１０７ａが形成されており、マイクロフォン１０５を挿入したマイクダンパーゴム１０４を収納部１０７ｃに挿入する際、ダンパー支持面１０４ａを載せて受けることで、図６に示すようにマイクロフォン１０５や、その近傍のマイクダンパーゴム１０４が収納部１０７ｃに当接することなく、所定の距離離れた状態で取り付けられる。
【０００８】
その上からマイクネット１０２が被せられ、爪部１０２ａをフロントケース１０７の勘合孔（図示せず）に挿入し折り曲げることで固定される。このとき、ダンパー支持突起１０４ｃはマイクネット１０２の内面に貼り付けたアドネット１０３に当接することで、図６に示すようにマイクロフォン１０５や、その近傍のマイクダンパーゴム１０４はアドネット１０３やマイクネット１０２内面に当接することなく、所定の距離離れた状態で取り付けられている。
【０００９】
収納部１０７ｃの底面にはフレキ開口部１０７ｂが形成されており、マイクフレキ１０６が収納部１０７ｃの外に配置した電子回路（図示せず）に導かれている。このフレキ開口部１０７ｂは、マイクフレキ１０６を通した上から遮蔽シート１０８を貼り付けることで、ビデオカメラ１０１の内部のカメラ駆動音などの録音したくない音声が収納部１０７ｃに侵入しないように遮音されている。
【００１０】
その他、従来のマイクロフォン装置として、特許文献１に開示の技術がある。
【特許文献１】特開２００７−１７４４８８号公報
【発明の開示】
【発明が解決しようとする課題】
【００１１】
しかしながら、上記従来のマイクロフォン装置では、ビデオカメラ１０１が振動する状態、たとえば過度の手振れや走行中の車内で使用されると、その振動が大きい場合には、マイクロフォン１０５近傍のマイクダンパーゴム１０４がフロントケース１０７やアドネット１０３に当たることがあり、これらの硬質な部材に衝撃的に当たることで、急激な音質劣化を引き起こす恐れがあった。
【００１２】
それを回避するためには、上述の所定の距離を十分大きく確保しておく必要があり、小型化の妨げとなっていた。たとえば、マイクネット１０２の外形がビデオカメラ１０１の外形と一体になるようなデザインを希望する場合でも、内部の構成と外形寸法の制約からマイクネット部分だけが張り出してしまう不具合があった。
【００１３】
また、マイクダンパーゴム１０４は複雑な形状の成型金型にゴム材料を入れ、所定の時間かけて固めることで製作する必要があるため、金型費用や部品コストを下げることが難しかった。
【００１４】
本発明は、上記課題を解決するもので、ビデオカメラ１０１が振動する状態で使用されても急激な音質劣化を引き起こす恐れがなく、ビデオカメラ１０１を小型化することができ、さらに金型費用や部品コストを下げることが可能なマイクロフォン装置を提供することを目的とするものである。
【課題を解決するための手段】
【００１５】
上記課題を解決するために本発明のマイクロフォン装置は、受音部を有するマイクロフォンと、開口部を有し、前記マイクロフォンを収納する収納部材と、前記開口部を覆う被覆部材と、前記マイクロフォンと略同一形状の孔を有し、前記孔に挿入された前記マイクロフォンを保持するとともに、前記マイクロフォンの高さと略同一の厚みを有する第１の緩衝材と、前記収納部材の底面と前記第１の緩衝材との間に配置される第３の緩衝材と、一方の面が前記マイクロフォンの受音部に当接し、他方の面が前記被覆部材と当接する第２の緩衝材と、を備える。
【発明の効果】
【００１６】
この構成により、ビデオカメラが振動する状態で使用されマイクロフォンが振動しても、第２の緩衝材と第３の緩衝材が硬質なフロントケースやマイクネットとの間に介在しているので、これら硬質部材に衝撃的に当たることはなく、従来のように急激な音質劣化を引き起こす恐れがない。このためマイクロフォンとマイクネットあるいは収納部材との空間距離を狭めることができるので、マイクロフォン装置を小型化することができる。
【発明を実施するための最良の形態】
【００１７】
以下、本発明の実施の形態に係るマイクロフォン装置について、図面を参照しながら説明する。
【００１８】
図１は本発明の実施の形態に係るマイクロフォン装置を収めたビデオカメラの全体斜視図、図２はその分解斜視図、図３はその断面図を、それぞれ示したものである。
【００１９】
図１から図３に示すように、ビデオカメラ１の外観面に複数の貫通孔２ｂを形成した板状の被覆部材であるマイクネット２が配置され、この貫通孔２ｂを通して進入した音が、内部に配置されたマイクロフォン５で受音され、電気信号に変換されて音声データとして記録される。
【００２０】
一方が開放した箱状の収納部材であるフロントケース７には、収納部７ｃが形成されており、これには４個の位置決めピン７ａが形成されている。また収納部７ｃの一部には、フレキ開口部７ｂが形成されている。フロントケース７はＡＢＳ材料を使用し、射出成型にて製作されている。
【００２１】
図２に示すように、マイクロフォン５の円筒高さと略々同高さの板状の第１の緩衝材である中スポンジ４には、マイクロフォン５の円筒直径と略々同直径の孔である貫通孔４ｂが５個と、位置決めピン７ａに差し込まれる位置決め孔４ａが４個、それぞれ形成されている。
【００２２】
５個の貫通孔４ｂは、図２に示すようにビデオカメラ１にて撮像する被写体の方向と略々平行な方向に３個、略々直線状に配置するとともに、残りの２個は被写体方向と略々直角方向に配置するように形成している。
【００２３】
貫通孔４ｂを上記のように十字状に配置することで、マイクロフォン５も同じように配置され、前後の指向性や左右のステレオ感などの音場再現性を確保することができる。
【００２４】
中スポンジ４は、厚みがほぼ均一なシート状のウレタンフォーム材料を、トムソン型と呼ばれる簡易金型にて打ち抜くことで製作されている。
【００２５】
マイクロフォン５の一方の平面には受音部５ａが設けられており、これに対向する面には端子部が設けられている。５個のマイクロフォン５は、５個の貫通孔４ｂに順ずる位置に並べられ、その端子部において電気信号を電子回路（図示せず）に導くマイクフレキ６に半田付けにて接続されている。マイクロフォン５は、この受音部５ａが中スポンジ４に埋没しないように挿入される。
【００２６】
このように組まれたユニットについて、まずそのマイクフレキ６をフロントケース７のフレキ開口部７ｂに挿入する。
【００２７】
次に、板状の第３の緩衝材である下クッション８を、フロントケース７の収納部７ｃに挿入する。下クッション８には４個の位置決め孔８ａが形成されている。下クッション８は板状で、かつ材料内部での気密性を有する材料で形成している。具体的には、厚みがほぼ均一なシート状で、かつその発泡セル構造が閉じていることで気密性を有する特殊なウレタンフォーム材料を、トムソン型と呼ばれる簡易金型にて打ち抜くことで製作されている。そのため、下クッション８の内部での音声伝達は起こり難い。
【００２８】
下クッション８は、図３に示すように、中スポンジ４にマイクロフォン５が組まれたユニットの下に挿入し、これと一緒に収納部７ｃに収納する。このとき、位置決め孔８ａと位置決め孔４ａは位置決めピン７ａに挿入する。この収納状態では、図３のようにフレキ開口部７ｂは下クッション８にて閉塞している。
【００２９】
このように組み立てられた上から、その一方の面から他方の面まで貫通した微小孔を多数有する材料で形成された板状の第２の緩衝材である上スポンジ３が挿入される。
【００３０】
上スポンジ３は具体的には、厚みがほぼ均一なシート状で、発泡セル構造が開いている（オープンセル構造である）ことにより通気性があるウレタンフォーム材料を、トムソン型と呼ばれる簡易金型にて打ち抜くことで製作されている。上スポンジ３には、４個の位置決め孔３ａが形成されており、位置決め孔３ａは位置決めピン７ａに挿入する。
【００３１】
その上からアルミ板で製作したマイクネット２を被せ、爪部２ａをフロントケース７の勘合孔（図示せず）に挿入し折り曲げることで固定される。なお、位置決めピン７ａは、その先端がマイクネット２の下面に当接しており、マイクネット２に対して上方より負荷を加えられた場合に、マイクネット２の変形を防止する。
【００３２】
このようにして、図３のように下クッション８、中スポンジ４、上スポンジ３は順次積層され、マイクネット２と収納部７ｃに囲まれて収納され、取り付けられる。
【００３３】
このとき、板状の下クッション８、中スポンジ４、上スポンジ３は、曲面で形成されたマイクネット２と収納部７ｃに沿って湾曲変形し、一部は弾性的に圧縮変形されて収納されているため、ガタなく保持されている。
【００３４】
このとき、マイクロフォン５の受音部５ａは上スポンジ３と当接し覆われているが、上スポンジ３には通気性があるので、外部の音声がマイクロフォン５まで通過できる。しかも微小孔を多数有するため、マイクネット２に設けた複数の貫通孔２ｂから内部のマイクロフォン５が見えることも緩和され、品格を損なわない。
【００３５】
また、下クッション８の上にマイクロフォン５がマイクフレキ６とともに乗った状態となっている。フレキ開口部７ｂから出たマイクフレキ６は、収納部７ｃの外に配置した電子回路（図示せず）に導かれている。
【００３６】
上記の構成によれば、ビデオカメラ１が振動する状態で使用される場合、マイクロフォン５の受音部５ａは上スポンジ３と当接し覆われているので、マイクロフォン５が上スポンジ３を押しつぶすが、最初から当接しているため、急激な音質劣化は引き起こさない。また、下クッション８の上にマイクロフォン５がマイクフレキ６とともに乗った状態となっているため、こちらについても最初から当接しているため、急激な音質劣化は引き起こさない。さらに、中スポンジ４についても同様に最初から当接しているため、急激な音質劣化は引き起こさない。
【００３７】
このため、従来のように空間距離を大きくする必要がなく、小型化の妨げとならないので、マイクネット２の外形がビデオカメラ１の外形と一体になるような、従来では難しかったデザインも実現可能となる。
【００３８】
また、上スポンジ３、上スポンジ４、下クッション８は、いずれも厚みがほぼ均一なシート状のウレタンフォーム材料を、トムソン型と呼ばれる簡易金型にて打ち抜くことで製作できるので、規格サイズのシート材料を使用し、安価な金型にて製作できる。このため、従来のマイクダンパーゴム１０４に比べて、金型費用や部品コストを下げることが可能となる。
【００３９】
さらに、図３のようにフレキ開口部７ｂは下クッション８にて閉塞されて遮音されているので、従来のように遮蔽シート１０８をわざわざ貼り付ける必要がなく、製品コストを下げることが容易となる。
【００４０】
なお本実施の形態では、中スポンジ４を、厚みがほぼ均一なシート状のウレタンフォーム材料にて形成したが、これは上スポンジ３のような通気性を有する材料でも、下クッション８のような気密性を有する材料でも、どちらでも構わない。このように、中スポンジ４は上スポンジ３と同じ材料でも構わないので、たとえば両者の一端を一体的に繋げた形状で製作し、これを折り返して組み立てる構成とすれば、部品点数を１点減らすことも可能である。
【００４１】
また、上スポンジ３、中スポンジ４、下クッション８は、必ずしもウレタンフォーム材料でなくとも、通気性あるいは気密性をそれぞれ満足する材料であれば、他の材料でも構わない。たとえば網状のシートを積層することで板状に積層した通気性材料や、気密性のゴムシートやエラストマーシートなどを使用し、簡易金型にて打ち抜き加工して製作しても構わない。
【００４２】
また、本実施の形態では、マイクロフォン５を５個使用したが、その配置は必ずしも十字状である必要はなく、たとえばＴ字状でも前後の指向性や左右のステレオ感などの音場再現性を確保することができる。
【００４３】
なお、マイクロフォン５の使用数がいくつであっても、本来の課題の解決にはまったく影響しない。たとえば３個のマイクロフォンを三角状に配置しても前後の指向性や左右のステレオ感などの音場再現性をある程度確保することができるし、２個のマイクロフォンで単に左右のステレオ感のみ実現しても、あるいは１個のマイクロフォンでモノラル録音する構成であっても構わない。
【産業上の利用可能性】
【００４４】
本発明は、ビデオカメラやデジタルスチルカメラなどの撮像装置をはじめとする電子機器に搭載する、マイクロフォン装置に適用することが可能であり、有用である。
【図面の簡単な説明】
【００４５】
【図１】本発明の一実施の形態に係るマイクロフォン装置を収めたビデオカメラの全体斜視図
【図２】本発明の一実施の形態に係るマイクロフォン装置の分解斜視図
【図３】本発明の一実施の形態に係るマイクロフォン装置の断面図
【図４】従来のマイクロフォン装置を収めたビデオカメラの全体斜視図
【図５】従来のマイクロフォン装置の分解斜視図
【図６】従来のマイクロフォン装置の断面図
【符号の説明】
【００４６】
１    ビデオカメラ
２    マイクネット
３    上スポンジ
４    中スポンジ
５    マイクロフォン
６    マイクフレキ
７    フロントケース
８    下クッション
【図１】
2010178250.tif 000003
【図２】
2010178250.tif 000004
【図３】
2010178250.tif 000005
【図４】
2010178250.tif 000006
【図５】
2010178250.tif 000007
【図６】
2010178250.tif 000008